(57)【要約】【課題】  汎用性および施工性が高く低コストで施工後に一枚のデッキ材のみを取り外して補修や交換を行なうことができるデッキ材の固定具を提供することを課題とする。【解決手段】  天板２１と天板２１の左右両端縁に設けた一対の側板２２と天板２１の前および／または後の端縁に設け天板の下方へ延出した脚板２３とから固定具２０を構成する。天板２１にビス２４用の孔２５を備え、脚板２３にビス２４用の孔２６を備える。孔２５はビス２４の外径よりもやや大きい口径寸法とし、孔２６はビス２４のネジ下穴程度の口径寸法とする。固定具２０は一枚の金属板から打ち抜き加工および曲げ加工などのプレス加工にて製造する。【選択図】図１
0003200891.tif 000002
【実用新案登録請求の範囲】
【請求項１】
天板と、天板の左右両端縁に設けた一対の側板と、天板の前および／または後の端縁に設け天板の下方へ延出した脚板と、から成るウッドデッキ材の固定具であって、天板と脚板の各々にビス用の孔を備えたものであるウッドデッキ材の固定具。
【請求項２】
天板に備えたビス用の孔はビス外径よりもやや大きい口径とし、脚板に備えたビス用の孔はビスのネジ下穴程度の口径としたものである請求項１に記載のウッドデッキ材の固定具。
【請求項３】
天板と側板および脚板は金属板にて一体に形成したものである請求項１または請求項２の何れかに記載のウッドデッキ材の固定具。
【考案の詳細な説明】
【技術分野】
【０００１】  本考案は、テラスやベランダあるいは商業施設の一部や学校などに備えるウッドデッキを構築するデッキ材の固定具に関するものである。
より詳しくは、長尺状の板材であるデッキ材を下地となる根太材の上面に平面状に配設する際に、デッキ材を根太材に固定するために用いる固定具の構造に関するものである。
【背景技術】
【０００２】  主として屋外の床上に備えるウッドデッキは、木質の風合いや感触の優しさなどが好まれ、近年になり例えばオープンカフェに用いられるなど、その需要が増加している。
図８はウッドデッキ１の一般的構造を示すものであり、床の上方に支持した数本の根太材２の上面に多数のデッキ材３を直交して架け渡すようにして平面状に並べて配設したものである。デッキ材３同士は雨水や砂あるいは埃などが通過して落下するように、長手方向の側面部４を互いに対向させて離間し、目地と称する隙間Ｓを持たせて配設している。
尚、図９はデッキ材３の側面部４の一般的な形状を示す要部断面図であり、５は凹溝、６は下部突条である。
根太材２は木材あるいは金属製形鋼などが使用されており、デッキ材３は天然木あるいは合成木製である。天然木としてはブラジル産のイペ、オーストラリア産のジャラ、インドネシア産のセランガンバツなどが使用されているが、近年ではＰＥＴ（ポリエチレンテレフタレート）などの合成樹脂と木材粉を混錬して成型した合成木製が多く使われるようになってきている。【０００３】  このようなデッキ材３を根太材２に固定するために、従来より様々な固定具が使用されており、例えば図１０および図１１に示すような固定具が使用されている。
図１０（ａ）、（ｂ）に示す例は、略エの字状断面の型材を用いた固定具７である。先ず左方のデッキ材３の下部突条６に固定具７の左方の隙間Ｐを嵌合し、次いで固定具７を根太材２にビス８で固定し、そして右方のデッキ材３の下部突条６を固定具７の右方の隙間Ｐに嵌合させてデッキ材３を根太材２に順次固定するものである。
しかしながら、デッキ材３は各メーカーより様々な種類の製品が製造販売されており、それらの側面部４の凹溝５や下部突条６の形状、凹溝５の幅寸法Ｗや奥行寸法Ｄおよび下部突条６の高さ寸法Ｈなどは実に様々である。従って、このような固定具７にあっては、限定された種類のデッキ材３にしか適用できない専用のものとなっている。また、施工後に一枚のデッキ材３について補修や交換を行なう場合には、その一枚のみならず数多くのデッキ材３を取り外さなければならないという不具合もあった。更に、固定具７とデッキ材３は嵌合しているだけであることから、温度変化によるデッキ材３の膨張や収縮などの寸法変化を規制できないものであった。また、経年変化などにより嵌合が緩むとデッキ材３が移動したり、振動により不快な音が発生する不具合もあった。
このような方式の他の多くの種類の固定具も、それぞれが限定された種類のデッキ材３にしか適用できない凡そ専用のものであり、予てより多種類のデッキ材３に使用することができる汎用性の高い固定具が切望されていた。【０００４】  図１１（ａ）、（ｂ）に示す例（特開２０１３−２４１７７８）は、上述のような状況にあって種々のデッキ材３に適用できるように汎用性を持たせた固定具９である。この固定具９は、上方から押圧することによって一対の脚部１０、１０が拡開して固定具９の高さ寸法が変化することにより、種々のデッキ材３の下部突条６の高さ寸法Ｈに対応することが可能となっている。また、根太材２の上に固定具９を仮置きした際には、姿勢補助部材１１により固定具９が倒れないように姿勢を保持することができ、作業性の向上を図ったものとなっている。また、施工後にビス１３を外して固定具９を目地方向に移動させることにより、一枚のデッキ材３のみを取り外して補修や交換を行なうことも可能である。
しかしながら、この固定具９にあっては金属製の本体１２と樹脂製の姿勢補助部材１１の２つの部材を組合せて構成するものであり、それぞれの製造コストおよび組立コストを要することから高コストとなるものであった。また、脚部１０は金属材料のバネ性で根太材２に接触しているだけであり固定されていないことから、ウッドデッキ１上を人が歩行した際や物品が落下などして干渉した際に脚部１０が振動して不快な音が発生することがあり、ウッドデッキ１の品位を損なう場合もあった。
【先行技術文献】
【特許文献】
【０００５】
【特許文献１】  特開２０１３−２４１７７８号公報
【０００６】
【考案の概要】
【考案が解決しようとする課題】
【０００７】  本考案は、上述したような現状に鑑みて成されたものであり、多くの種類のデッキ材に適応して使用することができ汎用性が高く、施工時の仮置き状態では安定した姿勢を保ち施工性を高めることができ、施工後においては一枚のデッキ材のみを取り外すことができ補修や交換を容易に行なうことが可能となり、併せて、低コストで製造することができるデッキ材の固定具を提供することを課題とするものである。
【課題を解決するための手段】
【０００８】  上記のような課題を解決するために、本考案のデッキ材の固定具は、天板と、天板の左右両端縁に設けた一対の側板と、天板の前および／または後の端縁に設け天板の下方へ延出した脚板と、から成り、天板および脚板の各々にビス用の孔を備えたことを基本とするものである。
更には、天板に備えたビス用の孔はビス外径よりもやや大きい口径とし、脚板に備えたビス用の孔はビスのネジ下穴程度の口径とするほか、天板と側板および脚板を金属板にて一体に形成するものである。
【考案の効果】
【０００９】  本考案のデッキ材の固定具は、このような構成としたことにより多くの種類のデッキ材に適応して使用することができ、汎用性を高めることができる。即ち、上方から押圧することによって脚部が変形して固定具の高さ寸法が変化することにより、種々のデッキ材の下部突条の高さ寸法に対応することが可能となる。
上述のように固定具の高さ寸法が変化することにより、施工時の仮置き状態では脚部が根太材の上面に確実に着座して固定具を略垂直に自立させ安定した姿勢を保つことが可能となり、施工性を高めることができる。
施工後においてはビスを外し固定具を目地方向に移動させることにより、一枚のデッキ材のみを取り外すことができ、補修や交換を容易に行なうことが可能となる。
天板と側板および脚板を金属板にて一体に形成することにより、低コストで製造することが可能となる。
【図面の簡単な説明】
【００１０】
【図１】  本考案の実施例を示す斜視図である。
【図２】  図１に示す実施例の側面図である。
【図３】  図１、図２に示す実施例の平面展開図である。
【図４】  本考案の実施例の使用状態を示す斜視図である。
【図５】  図４に示す使用状態についての断面図である。
【図６】  本考案の他の実施例を示す側面図である。
【図７】  本考案の別の実施例を示す側面図である。
【図８】  ウッドデッキの一般的構造を示す斜視図である。
【図９】  デッキ材の側面部の一般的な形状を示す要部断面図である。
【図１０】  従来例を示す説明図であり、（ａ）は斜視図、（ｂ）はその使用状態を示す断面図である。
【図１１】  他の従来例を示す説明図であり、（ａ）は斜視図、（ｂ）はその使用状態を示す断面図である。
【考案を実施するための最良の形態】
【００１１】
【実施例】
【００１２】  本考案の実施例を以下、図面に基づいて説明する。尚、各図において共通する部分には同一の符号を付し重複する説明は省略する。
図１および図２は本考案の固定具２０を示すものであり、図１は斜視図、図２は側面図である。【００１３】  固定具２０は、天板２１と、天板２１の左右両端縁に設けた一対の側板２２と、天板２１の前の端縁に設け天板２１の下方へ延出した脚板２３と、から成っている。天板２１にビス２４用の孔２５を備え、脚板２３にビス２４用の孔２６を備えている。孔２５はビス２４の外径よりもやや大きい口径寸法であり、孔２６はビス２４のネジ下穴程度の口径寸法である。側板２２は機械的強度を高めるリブ状であり、爪２７を複数備えている。
図３は固定具２０の平面展開図であり、上記構成の固定具２０は、天板２１と側板２２および脚板２３を金属板にて一体に形成したものであり、一枚の金属板から打ち抜き加工および曲げ加工などのプレス加工にて製造することができるものである。【００１４】  脚板２３は、天板２１の前の端縁を基端として斜め下方へ延び、中間部は天板２１に対し平行となり、先端は斜め上方へ延び天板２１の後の端縁付近まで延出した形状となっている。中間部の孔２６付近に段差Ｇを設け、孔２５と孔２６は凡そ同軸となっている。
上記のような脚板２３の形成については、この実施例のように天板２１の前または後の一端縁に限らず、前と後の両端縁に設けて延出し分割して形成することも可能である。【００１５】  図４および図５は固定具２０の使用状態を示すものであり、図４は斜視図、図５はその断面図である。先ず根太材２の上面に載置した左方のデッキ材３の凹溝５内に固定具２０の左方の側板２２を挿入し、脚板２３を根太材２の上面に着座させて固定具２０を仮置き状態とする。次に右方のデッキ材３を根太材２の上面に載置し左方のデッキ材３に接近させ、固定具２０の右方の側板２２が右方のデッキ材３の凹溝５に挿入された状態とする。そして左方と右方のデッキ材３にて固定具２０を挟み込んだ状態としてビス２４を締めて固定具２０を根太材２に固定することにより、左方と右方のデッキ材３を根太材２の上面に固定するものである。尚、この際に脚板２３の幅寸法Ｒが目地Ｓの寸法となる。【００１６】  固定具２０は上方から押圧することにより脚部２３を変形させて高さ寸法を変化させることが可能である。従って、予め高さ寸法を大きめに設定しておきデッキ材３の下部突条６の高さ寸法Ｈに合わせて変形させることにより、下部突条６の高さ寸法Ｈが異なる種々のデッキ材３に対応することができる。また、脚部２３を適宜に変形させることにより、仮置き状態では脚部２３が根太材２の上面に確実に着座して固定具２０を略垂直に自立させ、安定した姿勢を保つことが可能となり施工性を高めることができる。
ビス２４を十分に締めた状態では、脚板２３が更に変形すると共に爪２７がデッキ材３に喰い込むことによりデッキ材３を強固に固定することができ、温度変化によるデッキ材３の膨張や収縮などの寸法変化を規制することができる。【００１７】  孔２５はビス２４の外径寸法よりもやや大きい口径寸法であることから、ビスを締める際に直進性を高めるガイドとなり作業性を向上させることができる。孔２６はビス２４のネジ下穴程度の口径寸法であることから、ビス２４を締めると孔２６に雌ネジが切られることとなり、脚板２３がビス２４と根太材２に強力に固定される。このためウッドデッキ１上を人が歩行した際や物品が落下などして干渉した際に脚部２３が振動して不快な音が発生することがなく、ウッドデッキ１の品位を損なうことがなくなる。
尚、使用するビス２４はドリルビスやタッピングビスなどと称される先端にドリル部分や尖端部分を備えたビス類が好適である。この実施例のように孔２６付近に段差Ｇを設けた場合には、孔２５を通したビス２４の先端のドリル部分や尖端部分などの小径部分を孔２６に差し込んで固定具２０とビス２４を予め組み立てておくことができ、作業性を更に高めることができる。【００１８】  図６は他の実施例を示す側面図であり、固定具３０の脚板３１に外側へ湾曲する湾曲部３２を設けたものである。脚板３１の形状をこのような形状とすることにより、脚板３１の変形が容易となり更に作業性を高めることができると共に、固定具３０の仮置き状態に於ける安定性を更に高めることができるものである。【００１９】  図７は別の実施例を示す側面図であり、固定具４０の脚板４１に内側へ屈曲する屈曲部４２を設けたものである。脚板４１の形状をこのような形状とすることにより、脚板４１の変形が容易となり更に作業性を高めることができると共に、固定具４０の仮置き状態に於ける安定性を更に高めることができるものである。【００２０】  このように脚板の変形を容易にするためには、上記の例の他にも例えば脚板の一部に薄肉部を設けたり、一部に切欠きを施し幅寸法の狭い箇所を設けることなども可能である。
【産業上の利用可能性】
【００２１】  本考案のウッドデッキ材の固定具は以上の説明の如き内容のものであり、多くの種類のデッキ材に適応して使用することができ汎用性が高く、施工時の仮置き状態では安定した姿勢を保ち施工性を高めることができ、施工後においては一枚のデッキ材のみを取り外すことができ補修や交換を容易に行なうことが可能となり、併せて、低コストで製造することができるものである。
このような特徴を併せ持つものであることから、新規施工や補修の工期を短縮しコストも低減することができ、また、緊急の補修にも迅速に対応することができるなど、ウッドデッキ材のメーカーや施工主は元より、施工業者にとっても極めて有益なものである。
特に施工業者は多くの種類のデッキ材を取扱い新規施工や補修などを行なうことから、対応して多種の固定具を常に潤沢に揃えておく必要があり、その手配や在庫に掛る手間やコストは煩わしく著しいものである。汎用性の高い本考案の固定具を適量揃えておくことにより、その手間やコストの多くを削減することが可能となる。
【符号の説明】    １                …  ウッドデッキ
２０、３０、４０  …  固定具
２１              …  天板
２２              …  側板
２３、３１、４１  …  脚板
２４              …  ビス
２５              …  天板に備えたビス用の孔
２６              …  脚板に備えたビス用の孔
【図１】
0003200891.tif 000003
【図２】
0003200891.tif 000004
【図３】
0003200891.tif 000005
【図４】
0003200891.tif 000006
【図５】
0003200891.tif 000007
【図６】
0003200891.tif 000008
【図７】
0003200891.tif 000009
【図８】
0003200891.tif 000010
【図９】
0003200891.tif 000011
【図１０】
0003200891.tif 000012
【図１１】
0003200891.tif 000013